(57)【特許請求の範囲】
【請求項１】
浴槽の外部に設けた循環パイプの吸込み側に接続されて前記浴槽に取付けられた吸込口の構造であって、
この吸込口は、前記浴槽の内部側から着脱可能で且つ湯水が流通可能なカバー部材を有し、
このカバー部材の着脱動作に連動して前記湯水の流路を開閉する開閉弁を前記吸込口の内部に設けることにより、前記カバー部材が前記吸込口から離脱している状態のときは、前記開閉弁が前記流路を遮蔽するようにしており、
前記開閉弁は、
この開閉弁の中心軸線のまわりに回動可能な弁体と、前記カバー部材の着脱動作時の直線往復運動を前記弁体の回転往復運動に変換するカム機構と、前記弁体で前記流路を遮蔽するように前記弁体を付勢する付勢手段とを備え、
前記カバー部材を前記吸込口に装着することにより、前記カム機構を介して前記弁体が前記付勢手段の付勢力に抗して押圧されている状態のときは、前記流路が連通状態になるようにしたことを特徴とする循環式浴槽の吸込口構造。
【請求項２】
請求項１に記載の循環式浴槽の吸込口構造であって、
前記カム機構は、
前記中心軸線と平行な方向に直線往復移動自在に取付けられ前記付勢手段により前記浴槽の内部方向に付勢され所定形状のカム溝が形成された円柱カムと、
前記弁体に設けられ、前記カム溝に係合して前記弁体を回動させるためのカム従動子とを有していることを特徴とする循環式浴槽の吸込口構造。
【請求項３】
請求項１に記載の循環式浴槽の吸込口構造であって、
前記カム機構は、
前記カバー部材に取付けられ所定形状の端面が形成された端面カムと、
前記弁体に設けられ、前記端面カムの前記端面に係合して前記弁体を回動させるためのカム従動子とを有していることを特徴とする循環式浴槽の吸込口構造。
【発明の詳細な説明】
【０００１】
【発明の属する技術分野】
本発明は、浴槽の湯水を循環させて噴流を発生させる循環式浴槽の吸込口構造に関する。
【０００２】
【従来の技術】
近年は、健康指向の高まりによって、浴槽の湯水を循環させて噴流を発生させるジェット噴流バスが普及している。このジェット噴流バスは、循環式浴槽の一種であり、循環ポンプなどを含む循環配管路を浴槽の外部に設けて浴槽と接続している。
そして、浴槽の底面に近い壁面には湯水の吸込口を設け、この吸込口より高い位置の浴槽壁面には、湯水と気泡を噴出するための吐き出し口が設けられた構造になっている。
循環ポンプの吸引力は、その揚程がたとえば約１２ｍと強力であるため、吸込口からタオルその他の異物が吸い込まれるのを防止するため、吸込口はカバー部材で覆うのが一般的である（たとえば、特開平８−１７３４９４号公報）。
【０００３】
【発明が解決しようとする課題】
このカバー部材が何らかの原因で吸込口から離脱している状態でジェット噴流バスを使用していると、異物が吸込口に吸い込まれる恐れがある。そのため、このような不具合を確実に防止することができる技術が求められていた。
実用新案登録第２５８６５０７号公報および特開２０００−３７４３４号公報などには、異物が吸込口に吸い込まれた場合に、電気的信号を出力して循環ポンプを停止する制御などを行う技術が開示されている。
しかしながら、これら二つの公報に記載された従来技術は、異物が吸込口に吸い込まれた後の対策であるので、異物が吸込口に吸い込まれる以前の対策が求められていた。また、電気的信号に基づいて循環ポンプを制御しているが、これより確実に吸込みを遮蔽するなどの直接的で信頼性の高い対策が求められていた。
【０００４】
本発明は、このような課題を解決するためになされたもので、循環式浴槽の吸込口に異物が吸い込まれないうちに、吸込口の流路を確実に遮蔽するようにした信頼性の高い循環式浴槽の吸込口構造を提供することを目的とする。
【０００５】
【課題を解決するための手段】
上述の目的を達成するため、本発明にかかる循環式浴槽の吸込口構造は、浴槽の外部に設けた循環パイプの吸込み側に接続されて前記浴槽に取付けられた吸込口の構造であって、この吸込口は、前記浴槽の内部側から着脱可能で且つ湯水が流通可能なカバー部材を有し、このカバー部材の着脱動作に連動して前記湯水の流路を開閉する開閉弁を前記吸込口の内部に設けることにより、前記カバー部材が前記吸込口から離脱している状態のときは、前記開閉弁が前記流路を遮蔽するようにしており、前記開閉弁は、この開閉弁の中心軸線のまわりに回動可能な弁体と、前記カバー部材の着脱動作時の直線往復運動を前記弁体の回転往復運動に変換するカム機構と、前記弁体で前記流路を遮蔽するように前記弁体を付勢する付勢手段とを備え、前記カバー部材を前記吸込口に装着することにより、前記カム機構を介して前記弁体が前記付勢手段の付勢力に抗して押圧されている状態のときは、前記流路が連通状態になるようにしている。
たとえば、前記カム機構は、前記中心軸線と平行な方向に直線往復移動自在に取付けられ前記付勢手段により前記浴槽の内部方向に付勢され所定形状のカム溝が形成された円柱カムと、前記弁体に設けられ、前記カム溝に係合して前記弁体を回動させるためのカム従動子とを有しているのが好ましい。
また、別の実施態様として、前記カム機構は、前記カバー部材に取付けられ所定形状の端面が形成された端面カムと、前記弁体に設けられ、前記端面カムの前記端面に係合して前記弁体を回動させるためのカム従動子とを有しているのが好ましい。
【０００６】
【発明の実施の形態】
以下、本発明にかかる実施の形態の一例を、図１ないし図１９を参照して説明する。
（第１の実施形態）
図１は、本発明にかかる循環式浴槽を示す概略説明図である。図２ないし図９は本発明の第１の実施形態を示す図で、図２は吸込口構造を示す片側断面図、図３は吸込口本体の片側断面図である。
図４（Ａ），（Ｂ），（Ｃ），（Ｄ）は、それぞれ開閉弁の円盤取付け台の平面図，正面断面図，底面図，左側面図である。図５（Ａ），（Ｂ），（Ｃ）は、それぞれ円盤の平面図，正面断面図，底面図である。
図６（Ａ），（Ｂ），（Ｃ），（Ｄ）は、それぞれシャフトの平面図，正面図，底面図，図６（Ａ）のVI線矢視図である。図７（Ａ），（Ｂ）は、それぞれブシュの平面図，正面断面図である。図８（Ａ），（Ｂ）は、それぞれフィルタの平面図，正面断面図である。図９（Ａ），（Ｂ）は、それぞれカバー部材の片側断面正面図，底面図である。
【０００７】
本実施形態では、循環式浴槽としてジェット噴流バスを例にとって説明するが、本発明は、ジェット噴流バス以外の循環式浴槽の吸込口にも適用可能である。
まず始めに、ジェット噴流バスについて説明する。
図１に示すように、ジェット噴流バス１では、循環ポンプ３および循環パイプ４，１６などを含む循環配管路５が、浴槽２の外部に設けられている。浴槽２の底面６の高さ位置に近い壁面７には、循環配管路５に連通接続された一つ（または、複数）の吸込口８が設けられている。浴槽壁面７の下部は、底面６に至る部分が湾曲部１４になっている。
吸込口８より高い位置の浴槽壁面７には、湯水１０と気泡１１を噴出するために循環配管路５に連通接続された複数（ここでは、二つ）の吐き出し口９が設けられている。浴槽２の上部には、循環配管路５の吸気管１２に連通接続された空気取入れ口１３が設けられている。
吸込口８と循環ポンプ３は、吸込み側の循環パイプ４により接続され、循環ポンプ３と吐き出し口９は、吐出側の循環パイプ１６により接続されている。吸気管１２は、吐出側の循環パイプ１６に連通接続されている。なお、吸気管１２は循環ポンプ３に連通接続された場合であってもよい。
空気は、空気取入れ口１３から吸気管１２を通って吐出側の循環パイプ１６に吸引され（矢印Ｂ1) 、吐出側の循環パイプ１６を流れる湯水に混入して、吐き出し口９から噴流１５として噴出される。
【０００８】
前記構成のジェット噴流バス１において、循環ポンプ３が運転されると、浴槽２内の湯水１０が、矢印Ｂ4に示すように吸込口８から吸い込まれて吸込み側循環パイプ４を通って循環ポンプ３に流入する（矢印Ｂ2) 。
循環ポンプ３で圧力の上昇した湯水１０は、吐出側の循環パイプ１６を流れ（矢印Ｂ3）、空気取入れ口１３と吸気管１２を通って流入した空気と混合した後、吐き出し口９から噴流１５として浴槽２内に噴出されて循環する。
吐き出し口９から噴出された噴流１５は、浴槽２内の人間の腰などに当たって、こりや疲れなどが効果的に緩和される。浴槽２内の湯水１０に混じっている毛髪やごみなどは、吸込口８で吸い込まれるときに除去されるので、循環する湯水１０は常に清浄に保たれている。
【０００９】
次に、吸込口８について説明する。
図１ないし図９に示すように、吸込口８は、浴槽２の外部に設けた循環パイプ４の吸込み側に接続されて浴槽２に取付けられている。吸込口８は、湯水１０が流通可能な有底筒状のカバー部材２０を、浴槽２の内側から着脱可能に装着した構造を有している。
吸込口８の内部には、カバー部材２０の着脱動作に連動して湯水１０の流路Ｌを開閉する開閉弁２１が設けられている。カバー部材２０が吸込口８から離脱している状態のときは、開閉弁２１が流路Ｌを遮蔽するようになっている。
開閉弁２１は、開閉弁２１の中心軸線ＣＬのまわりに回動可能な弁体としての円盤２２と、カバー部材２０の着脱動作時の直線往復運動を円盤２２の回転往復運動に変換するカム機構２３と、円盤２２で流路Ｌを遮蔽するように円盤２２を付勢する付勢手段としての圧縮コイルばね２４とを備えている。
開閉弁２１は、カバー部材２０を吸込口８に装着することにより、カム機構２３を介して円盤２２が圧縮コイルばね２４のばね力（付勢力）に抗して押圧されている状態のときは、流路Ｌが連通状態になる。
【００１０】
カム機構２３は、円柱カムの機能を有するシャフト２５と、円盤２２に設けたカム従動子２６とを有している。シャフト２５は、矢印Ｄに示すように、中心軸線ＣＬと平行な方向に直線往復移動自在に取付けられ、圧縮コイルばね２４により浴槽２の内部方向に付勢されている。
シャフト２５には、所定形状（たとえば、ほぼ螺旋状）のカム溝２７が形成されている。カム従動子２６は、円盤２２に設けられ、カム溝２７に係合して円盤２２を回動させるためのものである。
循環パイプ４の吸込み側には、吸込口８の本体３０が連通接続されている。吸込口本体３０は有底中空の円筒部３１を有し、円筒部３１には、出口部３２が一体的に形成されている。出口部３２には、循環パイプ４が連通接続されている。
吸込口本体３０には、浴槽壁面７に対向配置されるフランジ部３３が一体形成されている。フランジ部３３の端面には、パッキン３４を装着するための円環状の溝部３５が形成されている。吸込口本体３０の入口側内面には、めねじ３６が螺刻されている。
【００１１】
浴槽壁面７には円形の開口部４０が形成され、開口部４０には、円筒状のブシュ４１が浴槽２の内部側から装着される。ブシュ４１の円筒部４３の一端には、大径の鍔部４２が一体形成されている。
鍔部４２の端面には、カバー部材２０を着脱可能に支持するための複数（ここでは、三つ）の係止孔４４が、円周方向に均等な位置に形成されている。係止孔４４には、カバー部材２０の係止片４５が係合離脱可能に係合する。
カバー部材２０の複数（ここでは、三つ）の係止片４５を係止孔４４にそれぞれ装着して、カバー部材２０を所定角度回転させれば、カバー部材２０がブシュ４１に係止される。なお、カバー部材２０を吸込口８に着脱可能に取付けるためには、係止孔４４と係止片４５により構成される係止手段以外の手段であってもよい。
【００１２】
円筒部４３の外周面にはおねじ４６が螺刻され、おねじ４６は、めねじ３６にねじ込み可能になっている。円筒部４３の内周面には、めねじ４７が螺刻されている。
吸込口本体３０のフランジ部３３を浴槽壁面７の外周面に対向させ、ブシュ４１を、浴槽２の内部側から開口部４０に挿入して、おねじ４６をめねじ３６に螺合させて所定位置までねじ込む。
すると、フランジ部３３と浴槽壁面７の外周面との間は、パッキン３４によりシールされ、鍔部４２と浴槽壁面７の内周面との間は、パッキン４８によりシールされる。これにより、吸込口本体３０とブシュ４１が、浴槽２に位置決め固定される。
【００１３】
吸込口本体３０の円筒部３１の内部には、有底中空円筒状の円盤取付け台５５が着脱可能に装着されている。円盤取付け台５５は、外周縁が円形状の平坦部５６と、平坦部５６の外周縁と一体化して中空円筒状に形成された円筒部５７とを有している。
平坦部５６の中心位置には、円形の貫通孔５８が穿設されている。一つまたは複数（ここでは、二つ）の突起５９が、貫通孔５８の内周面から中心方向に一体的に且つ対向して突出形成されている。
【００１４】
円筒状のシャフト２５が、矢印Ｄに示すように、貫通孔５８に中心軸線ＣＬと平行な方向に往復移動自在に嵌合している。シャフト２５の外周面６０には、中心軸線ＣＬと平行に一つまたは複数 (ここでは、二つ）の直線状溝６１が、中心軸線ＣＬを挟んで互いに１８０度反対方向に形成されている。
直線状溝６１には、突起５９が相対移動自在に係合しているので、シャフト２５は、貫通孔５８内を、非回転状態で中心軸線ＣＬと平行な方向のみに自在に直線往復移動することができる。
シャフト２５の外周面６０には、環状溝７２，７３が、一方の端部７０の近傍と他方の端部７１の近傍にそれぞれ位置して形成されている。環状溝７２，７３に止め輪７４，７５をそれぞれ係合させ、止め輪７４，７５が平坦部５６に当接することにより、シャフト２５の直線往復移動範囲が規制されている。
【００１５】
圧縮コイルばね２４は、円盤取付け台５５の平坦部５６と、吸込み側に位置する止め輪７４との間に介装されている。シャフト２５は、圧縮コイルばね２４により吸込み側（すなわち、浴槽２の内部方向）に付勢されている。これにより、円盤２２は、この円盤２２で流路Ｌを遮蔽するようにシャフト２５を介して付勢されている。
円盤取付け台５５の平坦部５６には、複数（ここでは、二つ）の開口部６２が、貫通孔５８より半径方向外方に位置して貫通形成されている。二つの開口部６２は、ほぼ９０度の角度を開いた扇形をなして、中心軸線ＣＬを挟んで互いに１８０度反対方向に配置されている。
平坦部５６の裏面６９側には、円盤２２を回動自在に支持するための円環状の係合溝６８が形成されている。係合溝６８に円盤２２の外周部が係合しているので、円盤２２は、中心軸線ＣＬのまわりに自在に回動することができる。
円筒部５７には、スリット６３と、ほぼ矩形状の開口部６４とが、中心軸線ＣＬを挟んで互いに１８０度反対方向に形成されている。吸込口本体３０の円筒部３１の内部には、出口部３２とは中心軸線ＣＬを挟んで１８０度反対側に、回り止め用の係止部６５が突出形成されている。
円盤取付け台５５の円筒部５７を、吸込口本体３０の内周面６６に嵌合させながら装着し、スリット６３を係止部６５に係合させれば、円盤取付け台５５は、回り止めされた状態で所定位置に位置決め保持される。その結果、開口部６４は出口部３２側を向いてセットされるので、円盤取付け台５５の内部空間６７は、開口部６４を介して出口部３２と連通する。
【００１６】
円盤２２は、全体的にほぼ円形板状をなしており、その中心位置には貫通孔８０が穿設されている。貫通孔８０は、円盤取付け台５５の貫通孔５８とほぼ同じ内径を有している。シャフト２５は、貫通孔５８，８０に中心軸線ＣＬと平行な方向に直線移動自在に嵌合している。
貫通孔８０の内周面には、一対のカム従動子２６が、中心軸線ＣＬを挟んで互いに１８０度反対方向に突出形成されている。カム従動子２６は、円盤２２の中心方向を向いており、シャフト２５のカム溝２７に相対移動自在に係合する。
円盤２２には、一対の開口部８１が、ほぼ９０度の角度を開いた扇形をなして、中心軸線ＣＬを挟んで互いに１８０度反対方向に貫通形成されている。各開口部８１の一方の直線状部の縁部には、ほぼ９０度折曲されて表面から突出するストッパ８２が、それぞれ一体形成されている。ストッパ８２は、円盤取付け台５５の開口部６２の直線状縁部８３，８４に当接して、円盤２２がたとえば約９０度の範囲で回動するように円周方向の動作を規制している。
したがって、ストッパ８２が開口部６２の一方の直線状縁部８３に当接すれば、開口部８１と開口部６２が千鳥状に配置されるので、流路Ｌは遮蔽される。ストッパ８２が開口部６２の他方の直線状縁部８４に当接すれば、開口部８１が開口部６２の位置にほぼ一致するので、流路Ｌは連通状態になる。
【００１７】
ブシュ４１の内方には、湯水１０が流通自在で有底中空円筒状をなすフィルタ８７が着脱可能に取付けられている。フィルタ８７は、湯水１０に混入している毛髪やごみなどを捕集し且つ湯水１０を通過させる有底中空円筒状のメッシュ材８８と、メッシュ材８８を支持する支持部８９と、支持部８９が取付けられた円環状の鍔部９０とを有している。
鍔部９０は、ブシュ４１の鍔部４２の端面に密着するようになっている。フィルタ８７は、カバー部材２０を吸込口８に取付けた際に、シャフト２５を押圧して移動させる機能も有している。
なお、フィルタ８７を省略できる場合には、シャフト２５を押圧するための押圧手段（たとえば、後述する第３の実施形態の押圧棒１２２）をカバー部材２０に固定する場合であってもよい。
【００１８】
カバー部材２０は、有底中空円筒状の盆形をなしている。カバー部材２０の円板状の底部９２と、底部９２と一体化した円筒状側部９３には、湯水１０を流通可能にするための多数の孔９４がそれぞれ穿設されている。
カバー部材２０の内方には、複数（たとえば、３個）のフィルタ支持片９１が、ブシュ４１の鍔部４２に対向するように一体形成されている。３個のフィルタ支持片９１は、周方向に均等に配置されている。
したがって、フィルタ８７をブシュ４１の内方に挿入し、カバー部材２０を係止片４５と係止孔４４を介してブシュ４１に装着すれば、鍔部９０が、フィルタ支持片９１により、ブシュ４１の鍔部４２の端面に密着するように位置決め支持される。
【００１９】
次に、吸込口８の動作について説明する。
こうして、カバー部材２０とフィルタ８７が吸込口８に取付けられた状態では、カバー部材２０により位置決めされたフィルタ８７の中央部が、シャフト２５の一方の端部７０を圧縮コイルばね２４のばね力に抗して押圧している。
これにより、シャフト２５は円盤取付け台５５の内方側に移動している。カム溝２７とカム従動子２６の係合により、円盤２２の開口部８１は円盤取付け台５５の開口部６２の位置にほぼ一致している。
その結果、吸込口８における流路Ｌは、カバー部材２０，フィルタ８７，開閉弁２１，出口部３２の順に連通状態になって、湯水１０が吸込口８を流れることができる。
すなわち、浴槽２内の湯水１０は、カバー部材２０の多数の孔９４を通り、カバー部材２０とフィルタ８７で毛髪やごみなどが除去されて清浄になった後、円盤取付け台５５の開口部６２と円盤２２の開口部８１を通り、円盤取付け台５５の内部空間６７から開口部６４を通り、出口部３２から吸込み側の循環パイプ４に流れる。その後、湯水１０は、循環配管路５を介して吐き出し口９から噴流１５として浴槽２内に噴出して循環する。
【００２０】
カバー部材２０が何らかの原因で吸込口８から離脱している状態としては、清掃時などにカバー部材２０を吸込口８から取り外した後にカバー部材２０を吸込口８に取り付けるのをうっかり忘れてジェット噴流バス１を使用した場合、ジェット噴流バス１の使用中に何らかの原因でカバー部材２０が吸込口８から外れてしまった場合などがある。
このように、カバー部材２０が離脱している状態では、フィルタ８７はシャフト２５を押し付けていない。したがって、シャフト２５は、圧縮コイルばね２４のばね力により浴槽２の内部側に移動して位置決めされる。
カム溝２７とカム従動子２６の係合により、円盤２２はほぼ９０度回動した状態になって、開口部８１と開口部６２はちどり状の配置状態になる。その結果、開閉弁２１は流路Ｌを遮蔽した状態になる。
したがって、吸込口８にタオルその他の異物が吸い込まれないうちに、吸込口８の流路Ｌをすばやく確実に遮蔽することができる。これは、ジェット噴流バス１の使用開始の前も後も、同じように流路Ｌを確実に遮蔽することができる。
【００２１】
ところで、上述のようにカバー部材２０が吸込口８から離脱した状態でジェット噴流バス１を使用している場合、開閉弁２１は流路Ｌを遮蔽するが、この状態が長時間続くと、循環ポンプ３に大きな負荷がかかる恐れがある。
そのため、循環ポンプ３の吸込み側または吐出側の循環配管路５には圧力検出器Ｐなどが設けられ、ジェット噴流バス１を制御する制御部９５にはタイマーＴなどが設けられている。
開閉弁２１が流路Ｌを遮蔽しているときは、循環配管路５内の圧力が大きく変化するので、圧力検出器Ｐは、所定値以上の圧力変化を検出して制御部９５に信号を出力する。
そして、この信号に基づいて、所定値以上の圧力変化が検出された時点からタイマーＴで所定時間（たとえば、約８秒）を計測し、この所定時間経過後、制御部９５から出力される信号により循環ポンプ３を自動停止してこれを保護するようにしている。
【００２２】
カバー部材２０を吸込口８に取付ける際には、カバー部材２０を中心軸線ＣＬと平行に移動させて、係止片４５をブシュ４１の係止孔４４に係合させた後、カバー部材２０を中心軸線ＣＬを中心として所定角度回転させる。これにより、係止片４５が係止孔４４にしっかりと係合するので、カバー部材２０がブシュ４１に取付けられる。
また、予めブシュ４１内に装着されたフィルタ８７の鍔部９０は、ブシュ４１の鍔部４２に密着するとともに、カバー部材２０のフィルタ支持片９１により支持されるので、フィルタ８７がブシュ４１の内方に位置決め保持される。
フィルタ８７に押圧されて、シャフト２５が円盤取付け台５５側に中心軸線ＣＬと平行に直線移動するので（矢印Ｄ）、カム機構２３を介して開閉弁２１は流路Ｌを連通状態にする。
このようにして、カバー部材２０の着脱動作に連動して開閉する開閉弁２１により、湯水１０の流路Ｌを連通したり遮蔽したりすることができる。
【００２３】
（第２の実施形態）
図１０ないし図１３は、本発明の第２の実施形態を示す図である。
図１０は、吸込口８ａの構造を示す片側断面図である。図１１（Ａ），（Ｂ），（Ｃ），（Ｄ）は、それぞれ開閉弁２１ａの円盤取付け台５５ａの平面図，正面断面図，底面図，左側面図である。
図１２（Ａ），（Ｂ），（Ｃ）は、それぞれ円盤２２ａの平面図，正面断面図，底面図である。図１３（Ａ），（Ｂ）は、それぞれ端面カム２５ａが設けられたフィルタ８７ａの正面図，底面図である。
なお、第２，第３の実施形態において、第１の実施形態と同一または相当部分には同一符号を付してその説明を省略し、異なる部分のみ説明する。
【００２４】
図１，図１０ないし図１３に示すように、吸込口８ａも、浴槽２の外部に設けた循環パイプ４の吸込み側に接続されて浴槽２に取付けられている。そして、カバー部材２０の着脱操作に連動して湯水１０の流路Ｌを開閉する開閉弁２１ａを、吸込口８ａの内部に設けることにより、カバー部材２０が吸込口８ａから離脱している状態のときは、開閉弁２１ａが流路Ｌを遮蔽するようにしている。
開閉弁２１ａは、この開閉弁２１ａの中心軸線ＣＬのまわりに回動可能な弁体としての円盤２２ａと、カバー部材２０の着脱動作時の直線往復運動（矢印Ｅ）を円盤２２ａの回転往復運動に変換するカム機構２３ａと、円盤２２ａで流路Ｌを遮蔽するように円盤２２ａを付勢する付勢手段としてのねじりコイルばね２４ａとを備えている。
カム機構２３ａは、カバー部材２０に取付けられ所定形状の端面１０１が形成された端面カム２５ａと、円盤２２ａに設けられ、端面カム２５ａの端面１０１に係合して円盤２２ａを回動させるためのカム従動子２６ａとを有している。
円盤２２ａは、この円盤２２ａで流路Ｌを遮蔽するようにねじりコイルばね２４ａにより付勢されている。本実施形態では、円盤２２ａに形成されたストッパ８２が、カム従動子２６ａの機能を有している。
【００２５】
本実施形態のフィルタ８７ａは、カバー部材２０に固定されている。フィルタ８７ａの鍔部９０に形成されたねじ孔１０２に小ねじを通してフィルタ支持片９１にねじ込むことにより、フィルタ８７ａはカバー部材２０に固定されている。フィルタ８７ａには、湯水１０を通すための多数の孔１０３が穿設されている。孔１０３は、円筒部１０４および底部１０５などにも穿設されている。
底部１０５には、一対の端面カム２５ａが、中心軸線ＣＬを挟んで互いに１８０度反対方向に点対称に位置して、一体的に形成されている。端面カム２５ａは、底部１０５から中心軸線ＣＬと平行に且つ円弧状をなして突出形成されている。端面カム２５ａの端面１０１は、側面視でほぼ直線状に形成されている。端面１０１の一方の端の頂部１０６は、鋭角状に形成されている。
円盤取付け台５５ａの中心部には、ねじりコイルばね２４ａを係止するためのばね係止部１０７が突出形成されている。円盤２２ａの中心部に形成された貫通孔８０に、ばね係止部１０７が係合している。したがって、円盤２２ａは、円盤取付け台５５ａに支持されて中心軸線ＣＬのまわりに自在に回動する。
円盤取付け台５５ａの開口部６２の一方の直線状縁部８３には、端面カム２５ａの頂部１０６を挿入するための切欠き１０９が形成されている。
円盤２２ａには、ばね係止部１０８が切り起こしにより折曲形成されている。ねじりコイルばね２４ａの一端をばね係止部１０７に係止し、他端をばね係止部１０８に係止することにより、円盤２２ａは、流路Ｌを遮蔽する周方向にねじりコイルばね２４ａにより付勢されている。
【００２６】
次に、吸込口８ａの動作について説明する。
前記構成の吸込口８ａにおいて、カバー部材２０が吸込口８ａから離脱している状態では、カバー部材２０とともにフィルタ８７ａおよび端面カム２５ａも吸込口８ａから離脱している。
その結果、円盤２２ａは、ねじりコイルばね２４ａのばね力（付勢力）により、円盤取付け台５５ａの開口部６２を閉じた状態で位置決めされている。すなわち、円盤２２ａのストッパ８２は、開口部６２の一方の直線状縁部８３に当接しているので、開口部８１と開口部６２が千鳥状に配置される。その結果、開閉弁２１ａは閉じた状態になるので、流路Ｌは遮蔽される。
【００２７】
カバー部材２０を吸込口８ａに取付ける場合には、フィルタ８７ａを有するカバー部材２０を中心軸線ＣＬと平行に直線移動させる（矢印Ｅ）。そして、フィルタ８７ａに設けられた端面カム２５ａの頂部１０６を、切欠き１０９に位置合わせして切欠き１０９内に挿入する。
端面カム２５ａが、ねじりコイルばね２４ａのばね力に抗して、矢印Ｅに示すように中心軸線ＣＬと平行に前進すると、端面１０１が、カム従動子２６ａの機能を有するストッパ８２を円周方向に押し付ける。
その結果、円盤２２ａがほぼ９０度回転し、その開口部８１が円盤取付け台５５ａの開口部６２の位置にほぼ一致する。その結果、開閉弁２１ａは開いた状態に変化する。
したがって、吸込口８ａにおける流路Ｌは、カバー部材２０，フィルタ８７ａ，開閉弁２１ａ，出口部３２の順に連通状態になるので、湯水１０が吸込口８ａを流れることができる。
その結果、第１の実施形態と同じ作用効果を奏する。この第２の実施形態では、第１の実施形態と比べて、吸込口８ａを構成する部品の点数が少なくなって構造が簡略化される。
【００２８】
（第３の実施形態）
図１４ないし図１９は、本発明の第３の実施形態を示す図である。
図１４は、吸込口８ｂの構造を示す片側断面図である。図１５（Ａ）は吸込口本体３０ｂの片側断面図、図１５（Ｂ）は図１５（Ａ）のＢ−Ｂ線矢視図である。図１６（Ａ），（Ｂ），（Ｃ）は、それぞれ弁体２２ｂの平面図，片側断面正面図，底面図である。
図１７（Ａ），（Ｂ）は、それぞれ弁座１２０の平面図，片側断面正面図である。図１８（Ａ），（Ｂ）は、それぞれナット１２１の平面図，片側断面正面図である。図１９（Ａ），（Ｂ）は、それぞれカバー部材２０ｂの平面図，片側断面正面図である。
【００２９】
図１，図１４ないし図１９に示すように、吸込口８ｂは、循環パイプ４の吸込み側に接続されて浴槽２に取付けられている。吸込口８ｂのカバー部材２０ｂは、浴槽２の内部側から着脱可能で、且つ湯水１０が流通可能な有底中空円筒状に形成されている。
吸込口８ｂは、カバー部材２０ｂの着脱動作に連動して湯水１０の流路Ｌを開閉する開閉弁２１ｂを、吸込口８ｂの内部に設けている。これにより、カバー部材２０ｂが吸込口８ｂから離脱している状態のときは、開閉弁２１ｂが流路Ｌを遮蔽するようにしている。
開閉弁２１ｂは、弁体２２ｂと、弁座１２０と、付勢手段としての圧縮コイルばね２４ｂとを備えている。弁体２２ｂは、吸込口８ｂの内部に設けられて、弁座１２０に着脱可能になっている。
弁体２２ｂは、矢印Ｆに示すように、開閉弁２１ｂの中心軸線ＣＬと平行な方向に直線往復移動可能である。圧縮コイルばね２４ｂは、弁体２２ｂを浴槽２の内部方向に付勢して弁座１２０に密着させるためのものである。
カバー部材２０ｂには、弁体２２ｂを押圧する押圧手段としての押圧棒１２２が取付けられている。カバー部材２０ｂを吸込口８ｂに装着することにより、カバー部材２０ｂの押圧棒１２２で弁体２２ｂが圧縮コイルばね２４ｂのばね力（付勢力）に抗して押圧されている状態のときは、流路Ｌが連通状態になるようにしている。
【００３０】
吸込口本体３０ｂの入口部１２３は、浴槽２の開口部４０から浴槽内部まで至るように突出している。入口部１２３の内周部にはめねじ３６が螺刻され、外周部にはおねじ１２４が螺刻されている。
ナット１２１の内周面にはめねじ１２５が螺刻され、外周部にはおねじ１２６が螺刻されている。ナット１２１を入口部１２３にねじ込むことにより、吸込口本体３０ｂが浴槽２に固定される。浴槽壁面７の内周面とナット１２１の間は、パッキン４８によりシールされる。吸込口本体３０ｂのフランジ３３と浴槽壁面７の外周面との間は、パッキン３４によりシールされる。
カバー部材２０ｂの内周面には、めねじ１２７が螺刻されている。めねじ１２７をおねじ１２６にねじ込むことにより、カバー部材２０ｂを吸込口８ｂに取付けることができる。
押圧棒１２２は、細長い形状を有して、カバー部材２０ｂの底部９２の中心部に一体的に（または、別体で）固定されている。カバー部材２０ｂを吸込口８ｂに取付けた状態で、押圧棒１２２の中心軸線は、吸込口８ｂの中心軸線ＣＬに一致するようになっている。
【００３１】
弁座１２０は、全体が円形状をなしており、湯水１０が流通可能なように多数の孔１２８が穿設されている。弁座１２０の円筒状外周面には、めねじ３６と螺合可能なおねじ１２９が螺刻されている。
弁座１２０の中心部には、押圧棒１２２を挿通可能な貫通孔１３０が穿設されている。弁座１２０の一方の面には、弁体２２ｂを着脱可能に密着させるための弁体密着用凹部１３１が形成されている。弁体密着用凹部１３１に弁体２２ｂが密着すると、すべての孔１２８，１３０が遮蔽されて、開閉弁２１ｂが閉じた状態になる。
おねじ１２９をめねじ３６に螺合させて、弁座１２０を入口部１２３にねじ込むことにより、弁座１２０が吸込口本体３０ｂの内部に着脱可能に位置決め固定される。
【００３２】
吸込口本体３０ｂの内周底部１３５には、弁体２２ｂを直線往復移動可能に支持するための弁体支持部材１３６が、一体的にまたは別体で固定されている。弁体支持部材１３６は、円筒状に形成されて中心軸線ＣＬと同心位置に配置されている。弁体支持部材１３６の円筒状外周面の外側には、圧縮コイルばね２４ｂが配置されている。
弁体支持部材１３６には、一対の細長い案内溝１３７が形成されている。案内溝１３７は、中心軸線ＣＬと平行に細長く形成され、上下が閉じた形状になっている。これにより、弁体２２ｂが中心軸線ＣＬと平行に移動する場合のストロークを規制している。
弁体２２ｂは、円形の円板部１４０と、円板部１４０から中心軸線ＣＬと平行に突出形成された一対の係止部１４１と、円板部１４０の一方の面に形成された円環状のばね支持部１４２とを有している。
係止部１４１の先端部には、半径方向外方に若干突出する係止片１４３が一体形成されている。円板部１４０の外周面は、部分円錐状に形成されたシール面１４４になっている。シール面１４４が、弁座１２０の弁体密着用凹部１３１に係合離脱可能に密着する。
係止部１４１は弁体支持部材１３６の内周面に係合し、係止片１４３が案内溝１３７に移動可能に係合している。圧縮コイルばね２４ｂの一端は内周底部１３５に係合し、他端はばね支持部１４２に係合して、圧縮した状態で介装されている。
【００３３】
次に、吸込口８ｂの動作について説明する。
開閉弁２１ｂの弁体２２ｂが、圧縮コイルばね２４ｂのばね力により弁座１２０に密着すると、開閉弁２１ｂは閉じた状態になる。押圧棒１２２に押圧されて弁体２２ｂが、圧縮コイルばね２４ｂのばね力に抗して移動すると、弁体２２ｂは弁座１２０から離れるので、開閉弁２１ｂは開いた状態になる。
前記構成の吸込口８ｂでは、カバー部材２０ｂが吸込口８ｂから離脱している状態のときは、弁体２２ｂは圧縮コイルばね２４ｂのばね力により弁座１２０に密着している。その結果、開閉弁２１ｂは閉じて流路Ｌを遮蔽することになる。
一方、カバー部材２０ｂを、ナット１２１にねじ込んで吸込口８ｂに取付けると、押圧棒１２２は、弁座１２０の貫通孔１３０を貫通して弁体２２ｂを圧縮コイルばね２４ｂのばね力に抗して移動させる。
これにより、弁体２２ｂは弁座１２０から離れる。その結果、カバー部材２０ｂ，入口部１２３，開閉弁２１ｂ，出口部３２の順に流路Ｌが連通するので、湯水１０が吸込口８ｂを流れることができる。
この第３の実施形態においても、第１の実施形態と同じ作用効果を奏する。
【００３４】
上述の第１ないし第３の実施形態にかかる吸込口８，８ａ，８ｂにおいては、カバー部材２０，２０ｂが吸込口８，８ａ，８ｂから外れている状態では、この吸込口に異物が吸い込まれないうちに、吸込口の流路Ｌをすばやく確実に遮蔽することができる。これにより、吸込口８，８ａ，８ｂへの異物の吸い込み現象を確実に防止することができる。
また、開閉弁２１，２１ａ，２１ｂは、電気的信号の代りに機械的な作動により確実に開閉動作するので信頼性が高い。
吸込口８，８ａ，８ｂの内部に開閉弁２１，２１ａ，２１ｂを設けたが、この開閉弁における流路Ｌの断面積を、出口部３２や循環パイプ４などの断面積とほぼ同じかそれ以上になるように設計すれば、吸込口８，８ａ，８ｂ内を湯水が流れるときの圧力損失はそれほど大きくはならない。
【００３５】
本発明では、ジェット噴流バス１の使用中，停止中のいずれの場合でも、カバー部材２０，２０ｂを吸込口８，８ａ，８ｂから離脱させると、開閉弁２１，２１ａ，２１ｂの作動により流路Ｌが自動的に遮蔽される。
したがって、カバー部材２０，２０ｂを吸込口８，８ａ，８ｂに取付けるのを忘れて循環ポンプ３を運転した場合や、ジェット噴流バス１の使用中に何らかの原因によりカバー部材２０，２０ｂが外れたような場合でも、開閉弁２１，２１ａ，２１ｂが流路Ｌを確実に且つ直接的に遮蔽するので、異物が吸込口に吸い込まれる恐れがなく安全である。
また、ジェット噴流バス１の使用中に、カバー部材２０，２０ｂが何らかの原因で外れて開閉弁２１，２１ａ．２１ｂが閉じた場合には、循環配管路５内の大きな圧力変化を圧力検出器Ｐで検出し、タイマーＴで計測される所定時間経過後に循環ポンプ３を自動的に停止するので、循環ポンプ３を保護することができる。
本発明の吸込口構造は、吐き出し口の機能も兼用する吸込口が設けられた循環式浴槽にも適用することができる。
なお、各図中同一符号は同一または相当部分を示す。
【００３６】
【発明の効果】
本発明は上述のように構成したので、循環式浴槽の吸込口に異物が吸い込まれないうちに、吸込口の流路を確実に遮蔽することができる。
【図面の簡単な説明】
【図１】本発明にかかる循環式浴槽を示す概略説明図である。
【図２】図２ないし図９は本発明の第１の実施形態を示す図で、図２は吸込口構造を示す片側断面図である。
【図３】吸込口本体の片側断面図である。
【図４】図４（Ａ），（Ｂ），（Ｃ），（Ｄ）は、それぞれ開閉弁の円盤取付け台の平面図，正面断面図，底面図，左側面図である。
【図５】図５（Ａ），（Ｂ），（Ｃ）は、それぞれ円盤の平面図，正面断面図，底面図である。
【図６】図６（Ａ），（Ｂ），（Ｃ），（Ｄ）は、それぞれシャフトの平面図，正面図，底面図，図６（Ａ）のVI線矢視図である。
【図７】図７（Ａ），（Ｂ）は、それぞれブシュの平面図，正面断面図である。
【図８】図８（Ａ），（Ｂ）は、それぞれフィルタの平面図，正面断面図である。
【図９】図９（Ａ），（Ｂ）は、それぞれカバー部材の片側断面正面図，底面図である。
【図１０】図１０ないし図１３は本発明の第２の実施形態を示す図で、図１０は吸込口構造を示す片側断面図である。
【図１１】図１１（Ａ），（Ｂ），（Ｃ），（Ｄ）は、それぞれ開閉弁の円盤取付け台の平面図，正面断面図，底面図，左側面図である。
【図１２】図１２（Ａ），（Ｂ），（Ｃ）は、それぞれ円盤の平面図，正面断面図，底面図である。
【図１３】図１３（Ａ），（Ｂ）は、それぞれ端面カムが設けられたフィルタの正面図，底面図である。
【図１４】図１４ないし図１９は本発明の第３の実施形態を示す図で、図１４は吸込口構造を示す片側断面図である。
【図１５】図１５（Ａ）は吸込口本体の片側断面図，図１５（Ｂ）は、図１５（Ａ）のＢ−Ｂ線矢視図である。
【図１６】図１６（Ａ），（Ｂ），（Ｃ）は、それぞれ弁体の平面図，片側断面正面図，底面図である。
【図１７】図１７（Ａ），（Ｂ）は、それぞれ弁座の平面図，片側断面正面図である。
【図１８】図１８（Ａ），（Ｂ）は、それぞれナットの平面図，片側断面正面図である。
【図１９】図１９（Ａ），（Ｂ）は、それぞれカバー部材の平面図，片側断面正面図である。
【符号の説明】
１              ジェット噴流バス（循環式浴槽）
２              浴槽
３              循環ポンプ
４，１６        循環パイプ
８，８ａ，８ｂ  吸込口
１０            湯水
２０，２０ｂ    カバー部材
２１，２１ａ．２１ｂ  開閉弁
２２，２２ａ    円盤（弁体）
２２ｂ          弁体
２３，２３ａ    カム機構
２４，２４ｂ    圧縮コイルばね（付勢手段）
２４ａ          ねじりコイルばね（付勢手段）
２５            シャフト（円柱カム）
２５ａ          端面カム
２６，２６ａ    カム従動子
２７            カム溝
１０１          端面
１２０          弁座
１２２          押圧棒（押圧手段）
ＣＬ            中心軸線
Ｌ              流路
【図１】
0004744752.tif 000002
【図２】
0004744752.tif 000003
【図３】
0004744752.tif 000004
【図４】
0004744752.tif 000005
【図５】
0004744752.tif 000006
【図６】
0004744752.tif 000007
【図７】
0004744752.tif 000008
【図８】
0004744752.tif 000009
【図９】
0004744752.tif 000010
【図１０】
0004744752.tif 000011
【図１１】
0004744752.tif 000012
【図１２】
0004744752.tif 000013
【図１３】
0004744752.tif 000014
【図１４】
0004744752.tif 000015
【図１５】
0004744752.tif 000016
【図１６】
0004744752.tif 000017
【図１７】
0004744752.tif 000018
【図１８】
0004744752.tif 000019
【図１９】
0004744752.tif 000020